(57)【要約】      （修正有）【課題】ドライヤーからの温風が吹付けられる描画対象において部分的に高い温度となることを抑制することができる乾燥装置及び描画装置を提供する。【解決手段】対象物である指１２の爪１１を配置する指保持ケースと、爪１１に向けて温風を流すことができるドライヤー５０と、ドライヤー５０を押圧してドライヤー５０を首振りさせる首振り部６６と、を備え、首振り部６６は、エアを供給すると膨らんでドライヤー５０を押圧し、エアを排出すると萎んでドライヤー５０を押圧しなくなる第１袋状部材６６ａを有する。【選択図】図４
2017169756.tif 000002
【特許請求の範囲】
【請求項１】
対象物が載置される載置部と、
風を一の方向に吹き出すドライヤーと、
流体が供給されたときと前記流体が排出されたときとで大きさが変化し、前記流体が供給されたときに前記ドライヤーを押圧して前記ドライヤーの向きを変えることにより前記対象物に対する前記風の向きを変える押圧部材と、
前記押圧部材への前記流体の供給及び前記押圧部材からの前記流体の排出を制御する制御部と、
を備えることを特徴とする乾燥装置。
【請求項２】
前記押圧部材は、前記流体を供給すると膨らんで前記ドライヤーを押圧し、前記流体を排出すると萎んで前記ドライヤーを押圧しなくなる第１袋状部材を有することを特徴とする請求項１に記載の乾燥装置。
【請求項３】
前記押圧部材は、前記流体の供給量の変化に応じて前記流体が供給されたときの大きさが変化し、前記押圧部材の前記流体が供給されたときの大きさの変化によって前記風の向きの変化量が変化することを特徴とする請求項１又は請求項２に記載の乾燥装置。
【請求項４】
前記制御部は、前記押し圧部材への前記流体の供給と前記押し圧部材からの前記流体の排出とを周期的に繰り返し行うことを特徴とする請求項１から請求項３の何れか一項に記載の乾燥装置。
【請求項５】
前記対象物の形状を認識する画像取得部と、
を有し、
前記制御部は、前記画像取得部により認識された前記対象物の形状に応じて、前記流体の供給量を制御することを特徴とする請求項１から請求項４の何れか一項に記載の乾燥装置。
【請求項６】
前記載置部に載置されている前記対象物の動きを抑制する動き抑制部を備え、
前記動き抑制部は、前記流体が供給されたときに前記対象物の動きを抑制し、前記流体が排出されたときに前記対象物の動きを抑制しなくなる抑制部材を有することを特徴とする請求項１から請求項５の何れか一項に記載の乾燥装置。
【請求項７】
前記流体を供給するポンプを有し、
前記ポンプから、前記押圧部材及び前記抑制部材に前記流体が供給されることを特徴とする請求項６に記載の乾燥装置。
【請求項８】
前記ポンプから前記抑制部材に前記流体を供給する第２流路と、
前記第２流路の途中から分岐され、前記押し圧部材に前記ポンプからの前記流体を供給する第１流路と、
前記第２流路上に設けられた第２バルブと、
前記第２バルブから前記抑制部材までの間の前記第２流路に設けられた第２分岐流路と、
前記第２分岐流路上に設けられた第２制御バルブと、
前記第１流路上に設けられた第１バルブと、
前記第１バルブから前記押圧部材までの間の前記第１流路に設けられた第１分岐流路と、
前記第１分岐流路上に設けられた第１制御バルブと、を備え、
前記第１流路は、前記ポンプから前記第２バルブまでの間の前記第２流路から分岐されており、
前記制御部は、前記第１バルブ、前記第２バルブ、前記第１制御バルブ及び前記第２制御バルブを制御することを特徴とする請求項７に記載の乾燥装置。
【請求項９】
請求項１から請求項８の何れかに記載の乾燥装置と、
前記対象物にインクを塗布して描画を施す描画部と、
を備え、
前記ドライヤーから吹き出される前記風により、前記描画部により前記対象物に塗布されている前記インクを乾燥させ、
前記インクを乾燥させる期間の少なくとも一部において、前記押圧部材により前記対象物に対する前記風の向きを変えることを特徴とする描画装置。
【発明の詳細な説明】
【技術分野】
【０００１】
本発明は、乾燥装置及び乾燥装置を備える描画装置に関する。
【背景技術】
【０００２】
従来、指の爪にネイルデザインを描画する描画装置が提案されている。
例えば、特許文献１には、インクジェット印刷技術を用い、手指の爪及び足指の爪にインクを塗布してネイルデザインを描画する技術が記載されている。
【０００３】
ところで、爪に描画されたネイルデザインは、インクが乾燥する前に何かに触れると擦り傷が付いたり剥がれたりする虞があるので、描画が終わってもインクが乾燥するまで待つ必要がある。
このような待ち時間は、各爪にネイルデザインを描画する毎に発生するので、すべての爪にネイルデザインを描画し終わるまでに長い時間がかかるという問題がある。
【０００４】
一方、特許文献２には、通常の印刷用プリンタにおいて、装置内に乾燥用のドライヤーを設けることが開示されている。
【先行技術文献】
【特許文献】
【０００５】
【特許文献１】特表２００３−５３４０８３号公報
【特許文献２】特開２０１０―１５８８３９号公報
【発明の概要】
【発明が解決しようとする課題】
【０００６】
そこで、爪にネイルデザインを描画する描画装置においても、特許文献２のように装置内にドライヤーを設ければ、インクの乾燥時間を短縮することが可能と考えられる。
ここで、ドライヤーから吹き出される温風は、温風の中心側の温度が高く、温風の外側ほど温度が低い温度分布を有している。そのため、温風の外側の風があたっている部分では温風の中心側の風があたっている部分よりもインクの乾燥に時間がかかってしまう。
【０００７】
そこで、温風の外側の風があたっている部分でのインクの乾燥時間をより短くするために温風の温度を上げた場合、温風の中心部の風があたっている部分の温度がより上昇してしまい、ユーザは熱いと感じてしまう虞がある。そのため、温風の温度を上げることによる乾燥時間の短縮には問題があった。
【０００８】
本発明は、上記のような事情に鑑みなされたものであり、ドライヤーから吹き出される温風によって対象物に塗布されたインクを乾燥させる乾燥装置及び乾燥装置を備える描画装置において、温風の温度を上げることなくインクの乾燥時間を短縮することが可能な乾燥装置及び描画装置を提供することを目的とする。
【課題を解決するための手段】
【０００９】
本発明は、以下の構成によって把握される。
本発明の乾燥装置は、対象物が載置される載置部と、風を一の方向に吹き出すドライヤーと、流体が供給されたときと前記流体が排出されたときとで大きさが変化し、前記流体が供給されたときに前記ドライヤーを押圧して前記ドライヤーの向きを変えることにより前記対象物に対する前記風の向きを変える押圧部材と、前記押圧部材への前記流体の供給及び前記押圧部材からの前記流体の排出を制御する制御部と、を備えることを特徴とする。
【発明の効果】
【００１０】
本発明によれば、ドライヤーからの温風が吹付けられる対象物において部分的に高い温度となることを抑制することができる乾燥装置及びそれを備える描画装置を提供することができる。
【図面の簡単な説明】
【００１１】
【図１】本発明の実施形態に係る描画装置の外観を示す斜視図である。
【図２】図１において筐体をＡ−Ａ線で切断して見た正面図である。
【図３】（ａ）はドライヤー及び風向き変更機構の側面図、（ｂ）はドライヤー及び風向き変更機構の正面図である。
【図４】ドライヤーの風向き変更動作を示す図であり、（ａ）は非押圧時（下げ時）のドライヤー及び風向き変更機構を示す側面図、（ｂ）は押圧時（上げ時）のドライヤー及び風向き変更機構を示す側面図である。
【図５】（ａ）は指保持ケースの要部平面図、（ｂ）は（ａ）のＢ−Ｂ線で切断して見た指保持ケースの要部側面図である。
【図６】エア給排部の構成を示すブロック図である。
【図７】ドライヤーを風向き変更動作させるエア給排部の制御例を示すタイミングチャート図である。
【図８】ドライヤーの風向き変更量制御を示す図であり、（ａ）は非押圧時（下げ時）のドライヤー及び風向き変更機構を示す側面図、（ｂ）は風向き変更量を小とした場合のドライヤー及び風向き変更機構を示す側面図、（ｃ）は風向き変更量を大とした場合のドライヤー及び風向き変更機構を示す側面図である。
【図９】第２実施形態に係るエア給排部の構成を示すブロック図である。
【図１０】第３実施形態に係るエア給排部の構成を示すブロック図である。
【発明を実施するための形態】
【００１２】
以下、添付図面を参照して、本発明を実施するための形態（以下、「実施形態」と称する）について詳細に説明する。なお、実施形態の説明の全体を通して同じ要素には同じ番号を付している。
【００１３】
また、以下の実施形態では、描画装置は手の指の爪を対象物として、これに描画するものとして説明するが、本発明の対象物は手の指の爪に限るものではなく、例えば足の指の爪を対象物としてもよい。
【００１４】
（乾燥装置及び描画装置の全体構成）
本発明に係る乾燥装置を備える描画装置の実施形態を、図１から図７に基づいて説明する。
図１に示すように、描画装置（乾燥装置）１０は、描画機能を備え、人の指１２の爪１１にネイルデザインを施す装置である。描画装置１０は、箱状の筐体２０を備え、この筐体２０の上面（天板）には、操作部２１を兼ね備えたタッチパネル式の表示部２２が設けられる。
【００１５】
また、筐体２０の正面部２０ａの下部中央には、第１指挿入部２３の挿入口２３ａが開口しており、さらに、この第１指挿入部２３の下側には、第２指挿入部２５の挿入口２５ａが開口している。
【００１６】
この第２指挿入部２５は、筐体２０の正面部２０ａから、指１２の挿入方向の奥側に向けて形成されるとともに、１つの手の描画する指１２以外の指が挿入される空間であって、筐体２０の内部空間に対し仕切られた（連通していない）空間である。
【００１７】
図１のＡ−Ａ線で切断して見た正面図である図２に示すように、筐体２０内の下部には、指載置台２６が設けられ、指載置台２６の上面には、指保持ケース３０（載置部）が設けられる。指保持ケース３０の内部空間は、第１指挿入部２３を形成するための空間であり、この空間には、指１２の動きを抑制する動き抑制部３１が配置される。
【００１８】
筐体２０内の天井部には、爪１１の位置や形状を認識するための画像取得部１６が設けられる。本実施形態の画像取得部１６は、爪１１に向けて発光する複数の発光部１６ａと、爪１１を異なる角度から撮影する複数のカメラ１６ｂと、を備える。
【００１９】
さらに、筐体２０内には、固定板１７が装置幅方向及び装置奥行き方向に移動可能に設けられる。この固定板１７の左右一側（この例では右側）には、ペンプロッター部１３及びインクジェット部１５を有する描画部１４が設けられ、左右他側（この例では左側）には、温風により爪１１に塗布されたインクを乾燥させるドライヤー５０が設けられている。
【００２０】
ペンプロッター部１３は、爪１１に描画を施すペン１３ａを備え、装置幅方向及び装置奥行き方向に固定板１７と一体的に移動可能であり、かつ、ステッピングモータ等の駆動手段（図示せず）により昇降可能である。ペンプロッター部１３は、指保持ケース３０の直上に移動した後、爪１１の表面に接するように下降させたペン１３ａのペン先でインクを塗布することにより、爪１１の表面に例えばユーザが指定した下地領域やネイルデザインを描画する。
【００２１】
インクジェット部１５は、図示しないインクジェットヘッド及びインクジェットカートリッジを備え、爪１１に対して、インクジェットヘッドによりインクを塗布して、ユーザが指定したネイルデザインの描画を行う。インクジェット部１５は、装置幅方向及び装置奥行き方向に固定板１７と一体的に移動可能であり、指保持ケース３０の直上に移動し、爪１１の表面にインクジェットヘッドで所望のデザインを施す。
【００２２】
ドライヤー５０は、装置幅方向及び装置奥行き方向に固定板１７と一体的に移動可能であり、指保持ケース３０の奥側正面に移動し、爪１１の表面に向けて乾燥用の温風を吹き出す。
【００２３】
（ドライヤーの構成）
図３の（ａ）、（ｂ）に示すように、ドライヤー５０は、ファン５１と、風洞筐体５２と、ヒータ５３と、放熱板５４と、温度センサ５５と、を備える。ファン５１は、例えば軸流ファンであり、風洞筐体５２の一端側に取り付けられ、風洞筐体５２内にエアを送り込む。
【００２４】
風洞筐体５２は、概ね四角筒形状であり、一端側に吹き込み口５２ａが形成され、他端側に送出口５２ｂが形成されている。送出口５２ｂの開口面積は吹き込み口５２ａの開口面積より小さく形成されていて、一端側から他端側に向かって絞りこまれた形状を有する。これにより、ファン５１により吹き込み口５２ａに吹き込まれる空気が、流速を速めて送出口５２ｂから吹き出される。
【００２５】
ヒータ５３は、放熱板５４に固定された状態で風洞筐体５２の基端側内部に取り付けられる。放熱板５４は、ヒータ５３が固定されるヒータ固定部５４ａと、ヒータ固定部５４ａから上方及び下方に延在する複数の放熱フィン５４ｂと、を有しており、ファン５１の下流でヒータ５３が発熱することにより、ファン５１から送り込まれるエアの温度を上昇させる。これにより、風洞筐体５２の送出口５２ｂから温風が乾燥用エアとして吹き出される。
【００２６】
温度センサ５５は、風洞筐体５２の送出口５２ｂの内側近傍に配置され、送出口５２ｂから吹き出される温風の温度を測定する。そして、測定温度が所望の温度となるように、ヒータ５３への投入電力及びファン５１の回転数が制御される。
【００２７】
このように構成されるドライヤー５０では、送出口５２ｂから吹き出される温風の吹き出し方向（風向）が一定であると、温風の吹き出し先である爪１１において温風のあたり具合に偏りが生じやすい。また、温風の温度分布は均等ではなく、例えば中心側が高温で、周辺側ほど低温となるような温度分布の偏りが生じる。
【００２８】
このような温風を爪１１にあてると、温風のあたり具合や温度分布の偏りに基づいて、早く乾燥する部分と、遅く乾燥する部分とができる。そして、遅く乾燥する部分の乾燥時間によって全体の乾燥時間が規定されてしまう。また、乾燥時間を短縮するために温風の温度を上げると、温風の温度分布における高温の部分が爪１１の同じ場所にあたり続けるため、爪のその場所においてユーザに熱さを感じさせてしまう虞がある。そのため、温風の温度を上げることによる乾燥時間の短縮には問題があった。
【００２９】
（ドライヤーの風向き変更機構）
図３の（ａ）、（ｂ）に示すように、描画装置１０には、ドライヤー５０からの温風が吹付けられる爪１１において、爪の一定の場所だけが高い温度となることを抑制するための、ドライヤー５０からの風向きを変更させる風向き変更機構６０が設けられている。
【００３０】
本実施形態の風向き変更機構６０は、固定板１７から前方に延出するドライヤーブラケット６１と、ドライヤーブラケット６１の一側面上部（この例では左側面上部）から一側方（この例では左側方）に延出する支軸６２と、ドライヤー５０の上端角部に一体的に固着され、支軸６２に回動自在に外嵌する筒部材６３と、ドライヤーブラケット６１の一側面下部から一側方に延出し、支軸６２を支点として上下揺動するドライヤー５０を揺動下限位置で当接保持する保持板６４と、ドライヤーブラケット６１の一側面中間部から一側方に延出し、ドライヤー５０の揺動上限位置を当接により規定するピン状のストッパー６５と、ドライヤー５０からの風向きを変更させる風向き変更部６６と、を備える。
【００３１】
風向き変更部６６は、エア（流体）を供給すると膨らみ、エアを排出すると萎む第１袋状部材（押圧部材）６６ａを備える。第１袋状部材６６ａは、例えば、平面形状が四角形状に形成され、保持板６４の上面とドライヤー５０の先端側下面との間に挟まれる状態で配置されるとともに、保持板６４の上面に対して両面粘着テープ等を用いて固定される。第１袋状部材６６ａの下側には、貫通穴６４ａを介して保持板６４の下面側に突出するエア給排口６６ｂが設けられており、このエア給排口６６ｂにチューブ６６ｃを介してエア給排部４０（図２及び図６参照）が接続されている。
【００３２】
そして、第１袋状部材６６ａは、エア給排部４０から内部にエアが供給されると、膨らんでドライヤー５０の風洞筐体５２の先端側を上方に押圧することにより、ドライヤー５０の先端側を上方に揺動させる。また、第１袋状部材６６ａは、内部からエアが排出されると、萎んでドライヤー５０の先端側を押圧しなくなることにより、ドライヤー５０の風洞筐体５２の先端側を自重で下方に揺動させる。つまり、第１袋状部材６６ａに対するエアの供給と排出を繰り返すことにより、ドライヤー５０を周期的に上下方向に風向き変更動作させることが可能になる。
【００３３】
図４の（ａ）、（ｂ）に示すように、ドライヤー５０を上下方向に風向き変更動作させると、ドライヤー５０の送出口５２ｂから吹き出される温風の中心位置（以下、温風中心とも記す）は、指保持ケース３０に保持された指１２の爪１１上で爪１１の長さ方向に変位する。この温風中心の爪上の変位量Ｌは、ストッパー６５により規定されるドライヤー５０の最大風向き変更量、ドライヤー５０の温風送出角度、ドライヤー５０の送出口５２ｂから爪１１までの距離等のパラメータに応じて変化するものであり、これらのパラメータは、温風中心の爪上の変位量Ｌが５ｍｍ以上となるように設定することが好ましい。その理由は、温風中心の爪上の変位量Ｌが５ｍｍ未満の場合は、ドライヤー５０の風向き変更動作による温風の揺らぎ幅が不十分となり、爪１１に対する温風のあたり具合の偏りや、温度分布の偏りを十分に抑制できない虞があるからである。
【００３４】
（指保持ケースの構成）
図５の（ａ）、（ｂ）に示すように、指保持ケース３０は、指載置台２６（図２参照）に固定され、その内部には、指の動きを抑制する動き抑制部３１が設けられる。指保持ケース３０は、貫通穴３２ａを有する下壁３２と、この下壁３２の左右両端部それぞれから上方に形成される左右の側壁３３、３４と、指挿入方向手前側において左右の側壁３３、３４の上端部を連結する上壁３５と、左右の側壁３３の指挿入方向奥側の端部を連結する奥壁３６と、奥壁３６の内面に沿って立設され、爪１１の爪先部１１ａを載せる爪置き部３７と、を有する。さらに、上壁３５と奥壁３６の間には、挿入された指１２の爪１１を上方に露出させる開口部３８が形成される。
【００３５】
動き抑制部３１は、エアを供給すると膨らみ、エアを排出すると萎む第２袋状部材３１ａを備える。第２袋状部材３１ａは、例えば、平面形状が四角形状に形成され、指保持ケース３０の下壁３２の上面に配置されるとともに、下壁３２の上面に対して両面粘着テープ等を用いて固定される。第２袋状部材３１ａの下側には、貫通穴３２ａを介して下壁３２の下面側に突出するエア給排口３１ｂが設けられており、このエア給排口３１ｂにチューブ３１ｃを介してエア給排部４０（図２及び図６参照）が接続されている。
【００３６】
そして、第２袋状部材３１ａは、指保持ケース３０に指１２が挿入された状態でエア給排部４０から内部にエアが供給されると、膨らんで指１２の下側の根元側部分を押し上げるように押圧し、指１２の上側の爪１１以外の部分を上壁３５の内面に押し付けて、指１２の動きを抑制する。これにより、指１２の動きが抑制された状態で、爪１１にネイルデザインを描画することが可能になる。また、ネイルデザインの描画及び乾燥が終わった後は、第２袋状部材３１ａの内部からエアを排出することにより、第２袋状部材３１ａを萎んだ状態に戻し、指１２の押圧を解除する。
【００３７】
（エア給排部）
図６に示すように、エア給排部４０は、エアを供給するポンプ４１と、ポンプ４１から第２袋状部材３１ａにエアを供給する第２流路４２と、第２流路４２の途中から分岐され、第１袋状部材６６ａにポンプ４１からのエアを供給する第１流路４３と、第２流路４２上に設けられた第２バルブＶ２と、第２バルブＶ２からチューブ３１ｃ（第２袋状部材３１ａ）までの間の第２流路４２に設けられた第２分岐流路４４と、第２分岐流路４４上に設けられた第２制御バルブＶ４と、第１流路４３上の設けられた第１バルブＶ１と、第１バルブＶ１からチューブ６６ｃ（第１袋状部材６６ａ）までの間の第１流路４３に設けられた第１分岐流路４５と、第１分岐流路４５上に設けられた第１制御バルブＶ３と、第２袋状部材３１ａ内の圧力を検出するための第２圧力センサＰＳ２と、第１袋状部材６６ａ内の圧力を検出するための第１圧力センサＰＳ１と、ポンプ４１及びバルブＶ１〜Ｖ４を制御する制御部（図示せず）と、を備えており、第１流路４３は、ポンプ４１から第２バルブＶ２までの間の第２流路４２から分岐されている。
【００３８】
次に、エア給排部４０による第１袋状部材６６ａ及び第２袋状部材３１ａのエア給排制御について説明する。なお、以下の説明は、バルブＶ１〜Ｖ４としてノーマルオープンタイプ（通電時に閉じ、非通電時に開くタイプ）の電磁弁を用いることを前提としているが、ノーマルクローズタイプの電磁弁を用いたり、両タイプの電磁弁を混在させたりしてもよい。
【００３９】
（第２袋状部材のエア給排制御）
エア給排部４０では、指１２が第１指挿入部２３に挿入され、爪先部１１ａが爪置き部３７に載置されたネイルデザインの描画準備状態において、通電により第２制御バルブＶ４を閉じるとともに、非通電により第２バルブＶ２を開いた後、ポンプ４１をＯＮにし、第２圧力センサＰＳ２で圧力を検出しながら、チューブ３１ｃを介して第２袋状部材３１ａにエアを送り込み、第２袋状部材３１ａを膨らませる。そして、第２圧力センサＰＳ２により検出される第２袋状部材３１ａ内の圧力が所定の圧力に到達したら、通電により第２バルブＶ２を閉じ、ポンプ４１をＯＦＦにする。
【００４０】
これにより、図５の（ｂ）に示すように、第２袋状部材３１ａは、指１２の下側の根元側部分を押し上げるように押圧し、指１２の上側の爪１１以外の部分を上壁３５の内面に押し付けて、指１２の動きを抑制する。なお、指１２の動きを抑制している状態において、第２圧力センサＰＳ２により検出される第２袋状部材３１ａ内の圧力が低下した場合は、ポンプ４１をＯＮにして第２バルブＶ２を開くことにより、再びエアを送り込んで第２袋状部材３１ａ内の圧力を上昇させることができる。
【００４１】
エア給排部４０は、爪１１へのネイルデザインの描画及び乾燥が完了し、指１２を第１指挿入部２３から引き出す際、通電の停止により第２制御バルブＶ４を開く。これにより、第２袋状部材３１ａ内のエアが第２分岐流路４４を介して排出されるのに伴い、第２袋状部材３１ａが萎んで元の扁平な形状に戻り、指１２への押圧が解除される。
【００４２】
（第１袋状部材のエア給排制御）
エア給排部４０は、第２袋状部材３１ａを膨らませて指１２の動きを抑制しているネイルデザインの描画実行状態（第２バルブＶ２は閉じ）において、通電により第１バルブＶ１を閉じるとともに、非通電により第１制御バルブＶ３を開くことにより、図５の（ｂ）に示すように、第１袋状部材６６ａを萎んだ扁平な形状に維持する。
【００４３】
エア給排部４０は、ネイルデザインの描画が終わり、ドライヤー５０によるネイルデザインの乾燥が開始されたら、図７に示すように、第１設定時間ｔ１が経過した後、通電により第１制御バルブＶ３を閉じるとともに、非通電により第１バルブＶ１を開いた後、ポンプ４１をＯＮにし、第１圧力センサＰＳ１で圧力を検出しながら、チューブ６６ｃを介して第１袋状部材６６ａにエアを送り込み、第１袋状部材６６ａを膨らませる。そして、第１圧力センサＰＳ１により検出される第１袋状部材６６ａ内の圧力が所定の圧力に到達したら、ポンプ４１をＯＦＦにする。
【００４４】
これにより、第１袋状部材６６ａは、膨らんでドライヤー５０の先端側を上方に押圧し、ドライヤー５０が上方に上がる風向き変更動作をさせる。そして、図５の（ｂ）に示すように、上方に上がる風向き変更動作をしたドライヤー５０は、ストッパー６５に当接することにより、揺動上限位置に保持される。
【００４５】
エア給排部４０は、第１制御バルブＶ３を閉じた後、第２設定時間ｔ２が経過したら、通電を停止して第１制御バルブＶ３を開く。これにより、第１袋状部材６６ａ内のエアが第１分岐流路４５を介して排出されるのに伴い、第１袋状部材６６ａが萎んで元の扁平な形状に戻る。その結果、ドライヤー５０は、第１袋状部材６６ａによる押圧が解除されるのに伴い、自重で下方に下がる風向き変更動作を行い、図５の（ｂ）に示す揺動下限位置に戻る。
【００４６】
エア給排部４０は、第１制御バルブＶ３を開いた後、第３設定時間ｔ３が経過したら、通電により第１制御バルブＶ３を閉じるとともに、ポンプ４１をＯＮにして第１袋状部材６６ａを膨らませ、再びドライヤー５０が上方へ上がる風向き変更動作をさせる。つまり、エア給排部４０は、第１袋状部材６６ａに対するエアの供給と排出を繰り返すことにより、ドライヤー５０を周期的に上下方向に風向き変更動作させる。
【００４７】
なお、上記の説明では、ストッパー６５により規定される最大風向き変更量でドライヤー５０を風向き変更動作させているが、エア給排部４０の制御部は、例えば爪１１の長さ方向の長さの値に応じて、第１袋状部材６６ａに対するエア供給量制御に基づいてドライヤー５０の風向き変更量を変更することができる。例えば、図８の（ｂ）に示すように、ポンプ４１からエアを供給して第１袋状部材６６ａを膨らませる際、ドライヤー５０がストッパー６５に当接する前の段階でポンプ４１からのエア供給を停止するか、バルブＶ１を閉じるかすれば、ドライヤー５０の風向き変更量を小さくすることができる。このエア供給停止のタイミングは、例えば、第１圧力センサＰＳ１の検出圧力や、エア供給開始からの経過時間に基づいて決定することができる。これにより、エア給排部４０の制御部は、例えば、画像取得部１６により認識された爪１１の形状に基づく爪１１の長さ方向の長さに応じて、爪１１の長さ方向の長さ比較的長い場合にはドライヤー５０の風向き変更量を比較的大きくし、爪１１の長さ方向の長さが比較的短い場合にはドライヤー５０の風向き変更量を比較的小さくするように制御して、爪１１の領域の全体に温風が当たるようにするとともの、爪１１以外の指１２の部分に温風が当たることを抑制するようにしてもよい。また、エア給排部４０の制御部は、例えば、ユーザが指定した、描画するネイルデザインの大きさに応じて、当該ネイルデザインの爪１１の長さ方向の長さが比較的長い場合にはドライヤー５０の風向き変更量を比較的大きくし、ネイルデザインの爪１１の長さ方向の長さが比較的短い場合にはドライヤー５０の風向き変更量を比較的小さくするように制御して、描画したネイルデザインの領域の全体に温風が当たるようにするとともに、爪１１のネイルデザインを施していない箇所に温風が当たることを抑制するようにしてもよい。
【００４８】
（実施形態の効果）
以上、説明した実施形態の描画装置１０によれば、ドライヤー５０からの風向きを変更させる風向き変更機構６０を備えるので、爪１１の全体が概ね均一に短時間で乾燥できる他、ドライヤーの温風の温度を高くしてもドライヤー５０からの温風が吹付けられる爪１１において、温風の温風中心が当たっている爪１１の一定の場所だけが高い温度となることを抑制できる。
【００４９】
また、風向き変更機構６０は、エアを供給すると膨らんでドライヤー５０を押圧し、エアを排出すると萎んでドライヤー５０を押圧しなくなる第１袋状部材６６ａを用いて構成されるので小型で安価である。また、ステッピングモータやソレノイドを用いてドライヤー５０を風向き変更動作させる場合に比べても、構造の簡略化、小型軽量化及びコストダウンが図れる。
【００５０】
また、風向き変更機構６０は、ドライヤー５０の最大風向き変更量を規定するストッパー６５を備え、ストッパー６５により規定される最大風向き変更量は、ドライヤー５０から爪１１に向けて流される温風の温風中心が爪１１上で爪１１の長さ方向に概ね５ｍｍ以上変位できるように設定されているので、ドライヤー５０の風向き変更動作による温風の揺らぎ幅を大きくし、爪１１に対する温風のあたり具合の偏りや、温度分布の偏りを抑制できる。
【００５１】
また、エア給排部４０のポンプ４１は、ドライヤー５０を風向き変更動作させる第１袋状部材６６ａへのエア供給と、指１２の動きを抑制する第２袋状部材３１ａへのエア供給に共用されるので、それぞれ専用のポンプを備える場合に比べ、構造の簡略化、小型軽量化及びコストダウンが図れる。
【００５２】
（エア給排部の変形例）
続いて、第２実施形態及び第３実施形態のエア給排部４０Ｂ、４０Ｃについて図９及び図１０に基づいて説明する。ただし、第１実施形態と共通の構成については、第１実施形態と同じ符号を用いて示すことで説明を省略する場合がある。
【００５３】
前述した第１実施形態のエア給排部４０では、第１袋状部材６６ａ内の圧力を検出するために第１圧力センサＰＳ１を設け、その検出圧力に基づいてポンプ４１から第１袋状部材６６ａへのエア供給を停止させていたが、図９に示す第２実施形態のエア給排部４０Ｂでは、第１圧力センサＰＳ１が省略されている。このような第２実施形態のエア給排部４０Ｂであっても、ポンプ４１から第１袋状部材６６ａへのエア供給時間を制御すれば、第１袋状部材６６ａ内の圧力を適正に管理できるので、第１圧力センサＰＳ１の省略により構造及び制御の簡略化やコストダウンが図れる利点がある。
【００５４】
また、前述した第１実施形態のエア給排部４０では、第１分岐流路４５上に設けられた第１制御バルブＶ３を開くことで、第１袋状部材６６ａ内のエアを排出していたが、図１０に示す第３実施形態のエア給排部４０Ｃでは、第１制御バルブＶ３に代えて、第１分岐流路４５を絞るオリフィス４６が設けられている。このような第３実施形態のエア給排部４０Ｃであっても、第１袋状部材６６ａを膨らませる際には、ポンプ４１から第１袋状部材６６ａへエアを供給すれば、オリフィス４６から少量のエアが漏れるものの、第１袋状部材６６ａを膨らませることができ、また、ポンプ４１をＯＦＦにすると、バルブ制御を行わなくても、オリフィス４６からエアが漏れ出すことにより、第１袋状部材６６ａを萎ませることができるので、構造及び制御の簡略化やコストダウンが図れる利点がある。
【００５５】
以上、本発明の好ましい実施形態について詳述したが、本発明は上述した実施形態に限定されるものではなく、特許請求の範囲に記載された本発明の要旨の範囲内において、種々の変形、変更が可能である。
【００５６】
例えば、本実施例では、載置部には指が載置される場合で説明してきたが、載置部には指以外のもの、例えば、付け爪やアクセサリーのようなものであってもよい。
【００５７】
また、本実施形態ではドライヤーの風向きを上下に変更する場合で説明してきたが、アクセサリー等では左右方向に風向きを変更ができる方が望ましい場合もあり、ドライヤーの風向きを変更させる方向は、上下に限定されず、左右方向、上下左右方向やその他の方向であってもよい。
【００５８】
さらに、本実施形態では、指の動きを抑制する動き抑制部となる第２袋状部材に流体を供給するポンプを利用して、ドライヤーからの風向きの変更を行うための風向き変更部となる第１袋状部材にも流体が供給される構成としていたが、このようにポンプを共用する必要はなく、第１袋状部材に流体を供給するためのポンプを別途設けるようにしてもよい。
【００５９】
加えて、ポンプの直近に流体を溜める流体タンクを設け、その流体タンクの圧力が第１袋状部材及び第２袋状部材を膨らますときに求められるよりも高い圧力となるように予め流体を溜めておき、流体タンクから第１袋状部材及び第２袋状部材への流体の供給を行い、流体タンクの圧力が所定の圧力以下になったときだけ、流体タンクの圧力を設定圧力まで高めるようにポンプを駆動して流体タンクに流体を供給するようにしてもよい。
【００６０】
以下に、この出願の願書に最初に添付した特許請求の範囲に記載した発明を付記する。付記に記載した請求項の項番は、この出願の願書に最初に添付した特許請求の範囲の通りである。
＜請求項１＞
対象物が載置される載置部と、
風を一の方向に吹き出すドライヤーと、
流体が供給されたときと前記流体が排出されたときとで大きさが変化し、前記流体が供給されたときに前記ドライヤーを押圧して前記ドライヤーの向きを変えることにより前記対象物に対する前記風の向きを変える押圧部材と、
前記押圧部材への前記流体の供給及び前記押圧部材からの前記流体の排出を制御する制御部と、
を備えることを特徴とする乾燥装置。
＜請求項２＞
前記押圧部材は、前記流体を供給すると膨らんで前記ドライヤーを押圧し、前記流体を排出すると萎んで前記ドライヤーを押圧しなくなる第１袋状部材を有することを特徴とする請求項１に記載の乾燥装置。
＜請求項３＞
前記押圧部材は、前記流体の供給量の変化に応じて前記流体が供給されたときの大きさが変化し、前記押圧部材の前記流体が供給されたときの大きさの変化によって前記風の向きの変化量が変化することを特徴とする請求項１又は請求項２に記載の乾燥装置。
＜請求項４＞
前記制御部は、前記押し圧部材への前記流体の供給と前記押し圧部材からの前記流体の排出とを周期的に繰り返し行うことを特徴とする請求項１から請求項３の何れか一項に記載の乾燥装置。
＜請求項５＞
前記対象物の形状を認識する画像取得部と、
を有し、
前記制御部は、前記画像取得部により認識された前記対象物の形状に応じて、前記流体の供給量を制御することを特徴とする請求項１から請求項４の何れか一項に記載の乾燥装置。
＜請求項６＞
前記載置部に載置されている前記対象物の動きを抑制する動き抑制部を備え、
前記動き抑制部は、前記流体が供給されたときに前記対象物の動きを抑制し、前記流体が排出されたときに前記対象物の動きを抑制しなくなる抑制部材を有することを特徴とする請求項１から請求項５の何れか一項に記載の乾燥装置。
＜請求項７＞
前記流体を供給するポンプを有し、
前記ポンプから、前記押圧部材及び前記抑制部材に前記流体が供給されることを特徴とする請求項６に記載の乾燥装置。
＜請求項８＞
前記ポンプから前記抑制部材に前記流体を供給する第２流路と、
前記第２流路の途中から分岐され、前記押し圧部材に前記ポンプからの前記流体を供給する第１流路と、
前記第２流路上に設けられた第２バルブと、
前記第２バルブから前記抑制部材までの間の前記第２流路に設けられた第２分岐流路と、
前記第２分岐流路上に設けられた第２制御バルブと、
前記第１流路上に設けられた第１バルブと、
前記第１バルブから前記押圧部材までの間の前記第１流路に設けられた第１分岐流路と、
前記第１分岐流路上に設けられた第１制御バルブと、を備え、
前記第１流路は、前記ポンプから前記第２バルブまでの間の前記第２流路から分岐されており、
前記制御部は、前記第１バルブ、前記第２バルブ、前記第１制御バルブ及び前記第２制御バルブを制御することを特徴とする請求項７に記載の乾燥装置。
＜請求項９＞
請求項１から請求項８の何れかに記載の乾燥装置と、
前記対象物にインクを塗布して描画を施す描画部と、
を備え、
前記ドライヤーから吹き出される前記風により、前記描画部により前記対象物に塗布されている前記インクを乾燥させ、
前記インクを乾燥させる期間の少なくとも一部において、前記押圧部材により前記対象物に対する前記風の向きを変えることを特徴とする描画装置。
【符号の説明】
【００６１】
１０  描画装置（乾燥装置）
１１  爪
１２  指
３０  指保持ケース
３１  動き抑制部
３１ａ  第２袋状部材
４０  エア給排部
４１  ポンプ
４２  第２流路
４３  第１流路
４４  第２分岐流路
４５  第１分岐流路
５０  ドライヤー
６０  首振り機構
６５  ストッパー
６６  押圧部
６６ａ  第１袋状部材
Ｖ１  第１バルブ
Ｖ２  第２バルブ
Ｖ３  第１制御バルブ
Ｖ４  第２制御バルブ
【図１】
2017169756.tif 000003
【図２】
2017169756.tif 000004
【図３】
2017169756.tif 000005
【図４】
2017169756.tif 000006
【図５】
2017169756.tif 000007
【図６】
2017169756.tif 000008
【図７】
2017169756.tif 000009
【図８】
2017169756.tif 000010
【図９】
2017169756.tif 000011
【図１０】
2017169756.tif 000012